(57)【要約】【課題】表示装置を見ながら撮影する際に、表示装置がスイッチ類を操作する手で隠されてしまうことのないビデオカメラを提供する。【解決手段】カメラ部２の側面にＶＴＲ部５を回動自在に取り付けるとともに、このＶＴＲ部５にグリップバンド４を設ける。カメラ部２のＶＴＲ部５と反対側の側面には、表示装置１をその前端を支点として前後左右方向に回動自在に取り付ける。ＶＴＲ部５の底面には、撮影時に操作するスイッチ類１０を設ける。【選択図】  図１
2004325534.tif 000002
【特許請求の範囲】
【請求項１】
カメラ部の側面にＶＴＲ部を回動自在に取り付けるとともに、該ＶＴＲ部にグリップ手段を設け、上記カメラ部のＶＴＲ部と反対側の側面に表示装置をその前端を支点として前後左右方向に回動自在に取り付けてなるビデオカメラにおいて、上記ＶＴＲ部の底面に、撮影時に操作する操作手段を設けたことを特徴とするビデオカメラ。
【請求項２】
上記ＶＴＲ部の底面に、上記操作手段を備えたリモートコントロール装置を着脱自在に設けたことを特徴とする請求項１に記載のビデオカメラ。
【発明の詳細な説明】
【０００１】
【発明の属する技術分野】
本発明はビデオカメラに関するものである。
【０００２】
【従来の技術】
最近のビデオカメラは、図３に示すように液晶の表示装置１を備えたものが多い。この表示装置１は、その前端を支点として前後左右方向に回動自在にカメラ部２の側面に取り付けるとともに、カメラ部２の凹部３に格納できるようになっている。カメラ部２の表示装置１と反対側の側面には、グリップバンド４を備えたＶＴＲ部５を回動自在に取り付けてある。
【０００３】
【発明が解決しようとする課題】
このビデオカメラは、図６に示すようにグリップバンド４に右手を掛け、左手でカメラ部２とＶＴＲ部５の底部を握って、ファインダー６を覗きながら撮影するのが一般的である。ところで、視線よりも高い位置から被写体を撮影する場合（ハイアングル撮影の場合）は、図４に示すようにＶＴＲ部５をカメラ部２に対して前方へ回転させるとともに、表示装置１を後方へ回転させて撮影者から見易くしておく。
【０００４】
一方、視線よりも低い位置から被写体を撮影する場合（ローアングル撮影の場合）には、図５に示すようにＶＴＲ部５をカメラ部２に対して前方へ約９０度回転させ、表示装置１を前方へ回転させおく。また、表示装置１を見ながら、視線とほぼ同じ高さから被写体を撮影する場合にも、ＶＴＲ部５をカメラ部２に対して前方へ約９０度回転させおく。つまり、このようにＶＴＲ部５を回転させることで、手首にかかる負担を小さくして、撮影の自由度を高めているのである。
【０００５】
ところで、撮影時に操作するスイッチ類７は、ファインダー６を覗きながら撮影する際、左手で操作し易い、表示装置１の上方に配置されている。しかし、上述のように表示装置１を見ながら撮影する場合には、スイッチ類７を操作しようとすると、表示装置１が左手で隠され、撮影画像のモニターができなくなってしまう。また、画像モニターの中断によって手振れも生じ易くなる。
【０００６】
本発明は、このような事情に鑑みなされたもので、表示装置を見ながら撮影する際、表示装置がスイッチ類を操作する手で隠されてしまうことのないビデオカメラを提供することを目的としている。
【０００７】
【課題を解決するための手段】
以上の課題を解決するための本発明は、カメラ部の側面にＶＴＲ部を回動自在に取り付けるとともに、該ＶＴＲ部にグリップ手段を設け、上記カメラ部のＶＴＲ部と反対側の側面に表示装置をその前端を支点として前後左右方向に回動自在に取り付けてなるビデオカメラにおいて、上記ＶＴＲ部の底面に、撮影時に操作する操作手段を設けたことを特徴とする。
【０００８】
かかる構成によれば、表示装置を見ながら撮影する際に、撮影者から見易いＶＴＲ部の底面に、撮影時に操作する操作手段を設けてあるので、この操作手段を操作する手で表示装置が隠されることがなくなる。
【０００９】
上記ＶＴＲ部の底面には、上記操作手段を備えたリモートコントロール装置を着脱自在に設けてもよい。
このようにすると、テープ再生時にリモートコントロール装置をＶＴＲ部から取り外して操作することができる。
【００１０】
【発明の実施の形態】
以下、図面を参照して本発明の実施の形態を説明する。
図１は本発明のビデオカメラを示しいている。
このビデオカメラは、図３の従来のものと比較すると、表示装置１がその前端を支点として前後左右方向に回動自在にカメラ部２の側面に取り付けてある点と、表示装置１がカメラ部２の凹部３に格納できるようになっている点と、カメラ部２の表示装置１と反対側の側面には、グリップバンド（グリップ手段）４を備えたＶＴＲ部５を回動自在に取り付けてある点とは同一である。
【００１１】
ＶＴＲ部５の底面５ａには、撮影時に操作するスイッチ類（操作手段）１０を複数個設けてある。このうち、例えば１０ａはメニュー切換えツマミ、１０ｂは表示切換えボタンである。
【００１２】
このビデオカメラは、ハイアングル撮影の場合は、図４に示すようにＶＴＲ部５をカメラ部２に対して前方へ回転させておく。一方、ローアングル撮影の場合や、表示装置１を見ながら視線とほぼ高さから被写体を撮影する場合には、図５に示すようにＶＴＲ部５をカメラ部２に対して前方へ約９０度回転させさせおく。いずれの場合にも、撮影時に操作するスイッチ類１０は、撮影者から見易い位置に配置されることになる。よって、このスイッチ類１０を左手で操作しても、表示装置１が隠されることはない。つまり、撮影画像のモニターが中断されないので、手振れも生じにくい。
【００１３】
以上、本発明の実施形態について説明したが、本発明はこれに限定されるものではなく、種々の変形が可能である。
例えば、図２に示すように撮影時と再生時に操作するスイッチ類を備えたリモートコントロール装置２０をＶＴＲ部５の底面５ａの凹部５ｂに着脱自在に取り付けてもよい。
このようにすると、テープ再生時にリモートコントロール装置２０をＶＴＲ部５から取り外して操作することができ、便利である。
【００１４】
【発明の効果】
以上のように本発明によれば、表示装置を見ながら撮影する際に、操作手段を操作する手で表示装置が隠されることがなくなる。また、手振れも生じにくくなる。
【００１５】
ＶＴＲ部の底面にリモートコントロール装置を着脱自在に設けると、テープ再生時にリモートコントロール装置をＶＴＲ部から取り外して操作することができ、便利になる。
【図面の簡単な説明】
【図１】本発明に係るビデオカメラの実施形態を示す斜視図である。
【図２】図１の変形例を示す図である。
【図３】液晶表示装置を備えたビデオカメラの斜視図である。
【図４】ハイアングル撮影を行う場合のビデオカメラの状態を示す図である。
【図５】ローアングル撮影を行う場合のビデオカメラの状態を示す図である。
【図６】ビデオカメラの撮影方法を示す図である。
【符号の説明】
１  表示装置
２  カメラ部
３  凹部
４  グリップバンド
５  ＶＴＲ部
５ａ  底面
５ｂ  凹部
６  ファインダー
７  スイッチ類
１０  スイッチ類
２０  リモートコントロール装置
【図１】
2004325534.tif 000003
【図２】
2004325534.tif 000004
【図３】
2004325534.tif 000005
【図４】
2004325534.tif 000006
【図５】
2004325534.tif 000007
【図６】
2004325534.tif 000008